(57)【要約】【課題】混合式蚊取り方法の提供。【解決手段】本発明の混合式蚊取り方法は、特に、人体の臭味や、高体温状態下で、呼吸で吐出される気体温度を模倣した誘引剤で、誘引剤を加熱すると共に、空気中に拡散して、蚊捕集装置を組み合わせ、蚊を蚊捕集装置の罠に誘き寄せ、ファンの回転により空気を流動させて、生成される吸力渦流場（Vortex  Ａｉｒ  Ｆｉｅｌｄ）により、罠に近づいた蚊を吸入し、蚊が回転するファンに吸進される時、ファンブレードの高速回転で蚊が打撃され、蚊の死骸は、蚊捕集ネット内に収集し、蚊を捕殺する目的を達成するものである。【選択図】    図１
2007215469.tif 000002
【特許請求の範囲】
【請求項１】
混合式蚊取り方法であって、
人体の皮膚から分泌される成分、及び、人体の高体温状態下の体臭を模倣し、一種、或いは、多種の誘餌液原料を混成してなる誘引剤と、
主に、蚊取り、蚊捕集、及び、電気制御の三つの部分に分けられる蚊捕集装置と、
からなり、
その特徴は、前記誘引剤を前記蚊捕集装置内の誘引容器内に放入し、加熱器により気体にし、温度センサーで一定範囲内の温度に維持し、人体を模倣した臭味と温度が蚊を誘き寄せ、ファンによる空気渦流と蚊捕集ネットを利用し、蚊はファンブレードの攻撃を受けて捕殺され、前記ネット中に収集することを特徴とする混合式蚊取り方法。
【請求項２】
前記誘引剤の主要成分は、乳酸（Lactic Acid）、アミノ酸（Amino Acid）塩分 ( NaCl)、グリセリン（Glycerin）、アシルグリセロール（Acylglycerol）、トリアシルグリセロール（Triacylglycerol）、脂肪酸（Lipid
Acid）、ステアリン酸（Stearic Acid）、リポ蛋白（Lipoprotein）、コレステロール（Cholesterol）、コレステロールエステル、ステロイド（Steroid）、及び、ワックス（Wax）等を含むことを特徴とする請求項１に記載の混合式蚊取り方法。
【請求項３】
前記誘引剤は、蚊の種類別に、異なる組み合わせ、及び、異なる比率で調合されることを特徴とする請求項１に記載の混合式蚊取り方法。
【請求項４】
前記蚊捕集装置内の誘引容器は、二つの放置槽を定義し、水性と油性の二種の誘引剤を放置し、加熱して気体にした後、空気中に拡散して、蚊を誘引することを特徴とする請求項１に記載の混合式蚊取り方法。
【請求項５】
前記水性と油性の二種の誘引剤は、乳化剤を加えて乳化し、単一槽内に入れて、加熱して気体にした後、空気中に拡散して、蚊を誘引することを特徴とする請求項１に記載の混合式蚊取り方法。
【発明の詳細な説明】
【技術分野】
【０００１】
本発明は混合式蚊取り方法に関し、詳細には、誘引剤は、人体の皮膚から分泌される成分、及び、人体の高体温状態下の体臭を模倣し、誘引剤を人体の体温に近い温度に加熱すると共に、空気中に拡散して、蚊を蚊捕集装置の罠に誘き寄せ、ファンの回転により、空気を流動させて生成される吸力渦流場（Vortex  Field  ｏｆ  Ｓｉｎｋ）により、罠に落ちた蚊を吸入すると共に、捕殺する装置に関する。
【背景技術】
【０００２】
自然界には、生物の依存関係が存在し、例えば、蚊は、哺乳動物、鳥類、爬虫類、両生類、更には、魚類中のトビハゼ等の血液も吸い取って生存している。メスの蚊が血を吸うとき、血液凝血を避けるため、血管中に、蚊自身の抗凝剤を含む唾液を注入するので、この唾液に含まれる細菌や唾液蛋白は、免疫細胞の刺激を生じ、皮膚炎症を起こして、かまれた部分が痒みを生じる。また、マラリア（Malaria）、髄膜炎（Meningitis）、デング熱（Dengue
Fever）、西ナイルウィルス(West Nile Virus)、黄熱病（Yellow Fever）等、及び、犬のハートウォーム病（Heartworm
Disease）、更には、禽類のウィルス疾病も、蚊に咬まれることに起因する。よって、蚊の捕殺は、世界的に疾病予防の主要目標となっている。
【０００３】
早期に、蚊の捕殺のために、大量の毒性の強い殺虫剤DDTを使用していたが、長期に渡る使用で、蚊は抗薬性を生じ、また、環境汚染も問題になって、現在では使用が停止されている。現在は、毒性の低い除虫菊により、蚊取り線香、電気蚊取り用マット、液体防蚊剤等が合成される。これらは、高温燃焼作用により、殺虫剤成分を、ゆっくりと空気中に釈放して、忌避、駆除を発揮するものであるが、蚊を追い払うことはできても、蚊を消滅させることはできず、更には、上述の気体を長期的に吸入することとなり、身体に好ましくない影響がある。
【０００４】
市販されている蚊捕集ランプは、避光性の蚊にとって蚊取り効果は弱く、家蚊（Culex）等、少数の蚊は、夕方や早朝の特定の時間帯に、波長３７０〜３７４nmの紫外線に対し趨光性を有するが、一般の紫外線ランプは、長期的に蚊取りする光波を保持することはできず、やぶ蚊（Aedes）、及び、はまだら蚊（Anopheles Mosquitoes）等に至っては、活動時間は、昼間である故、蚊捕集ランプはまったく効果がない。
【発明の開示】
【発明が解決しようとする課題】
【０００５】
本発明の目的は、混合式蚊取り方法を提供することにある。誘引剤は、人体の皮膚から分泌される成分、及び、人体の高体温状態下の体臭を模倣したもので、誘引剤を人体の体温に近い温度に加熱すると共に、空気中に拡散して、蚊を蚊捕集装置の罠に誘き寄せ、ファンの回転により、空気を流動させて生成される吸力渦流場（Vortex  Field  ｏｆ  Ｓｉｎｋ）により、罠に落ちた蚊を吸入すると共に、捕殺する。
【０００６】
メス蚊の頭上の一対の触角（Palps）は、獲物の臭味（Odors）、及び、体温を感知するアンテナ（Antenna）である。
【０００７】
この二つの誘因に対し、一種の新型の誘引剤、及び、蚊捕集機構を設計し、この誘因と本設計の基本原理を説明する。
【課題を解決するための手段】
【０００８】
メス蚊の嗅覚受容体（Acceptor）：嗅覚受容体は、体臭中に含まれる乳酸（Lactic
Acid）、アミノ酸（Amino Acid）塩分 (
NaCl)、グリセリン（Glycerin）、アシルグリセロール（Acylglycerol）、トリアシルグリセロール（Triacylglycerol）、脂肪酸（Lipid Acid）、ステアリン酸（Stearic Acid）、リポ蛋白（Lipoprotein）、コレステロール（Cholesterol）、コレステロールエステル、ステロイド（Steroid）、及び、ワックス（Wax）等の混合成分に対し非常に敏感で、これらの成分は、メス蚊にとっては、まさしく食べ物の匂いである。これらを適当な比例で混合して、一種、或いは、多種の混合式誘引剤を生成し、誘引剤は、水溶性（Water  Soluble）（乳酸、アミノ酸、塩）、及び、脂溶性（Lipid  Soluble）を別に調合してもよいし、乳化して、単一の混合誘引剤にしてもよい。
【０００９】
メス蚊のサーモセンサー（Thermo  Sensor）：メス蚊のサーモセンサーは、動物や人類の体温に非常に敏感で、且つ、精密に反応する。例えば、体温が比較的高い子供や、運動後は、特に、蚊に咬まれやすい。実験により、体温（皮膚）が３７〜４２℃、吐出する気体温度（口、或いは、鼻から２センチのところ）が３１〜３５℃が最も蚊を寄せ付ける。
【００１０】
温度が高すぎる発熱体には近寄らず、メス蚊は、黒色（濃い色）の物体上、或いは、容器内に留まるのを好み、黒色の物体は、同一環境中、その他の色と比べると、多くのエネルギーを吸収して放射するので、一つ、或いは、多くの温度自動調節器（Ｔｈｅｒｍｏｓｔａｔ）を設計し、一種、或いは、多種の誘引剤（脂溶性、及び、水溶性）を加熱すると共に、誘引剤温度を、３７〜４２℃に維持する。誘引剤横に、一つ、或いは、多くのファンを設置し、その構造は、設計上、蚊の飛行経路に合わせて、Ｚ字型に設計する。ファンと誘引剤間の相対位置に生じる空気渦流（Ｖｏｒｔｅｘ  Ａｉｒ  Ｆｌｏｗ）は、四方八方から誘引された蚊を、自然にファン口に導向し、回転が速いファンにより吸入されて、ファンブレードにより打撃される。蚊の死骸は、蚊捕集ネット内に集まる。
【００１１】
本発明は、一種、或いは、多種を調合した誘引剤で、人体の皮膚から排出される体臭、及び、成分を模倣し、乳酸（Lactic  Acid）、アミノ酸（Amino  Acid）、塩分（NaCl）、グリセリン（Glycerin）、アシルグリセロール（Acylglycerol）、トリアシルグリセロール（Triacylglycerol）、脂肪酸（Lipid Acid）、ステアリン酸（Stearic Acid）、リポ蛋白（Lipoprotein）、コレステロール（Cholesterol）、コレステロールエステル、ステロイド（Steroid）、及び、ワックス（Wax）等の成分を、適当な比例で調合すると共に、蚊捕集装置を組み合わせ、一つ、或いは、多数個の自動温度調節器（Ｔｈｅｒｍｏｓｔａｔ）を設計し、上述の一種（単一誘引剤に乳化する）、或いは、多種の誘引剤（脂溶性、及び、水溶性）を加熱して、誘引剤を３８〜４２℃間に維持して、好ましい蚊誘引効果を達成する。誘引剤横の適当な位置に、一つ、或いは、多数個のファンを設置し、ファンと誘引剤間の相対位置に生じる空気渦流（Ｖｏｒｔｅｘ）は、四方八方から誘引された蚊を、自然にファン口に導向し、回転が速いファンにより吸入されて、ファンブレードにより打撃される。蚊の死骸は、蚊捕集ネット内に集まる。
【発明の効果】
【００１２】
混合式蚊取り方法が提供され、誘引剤は、人体の皮膚から分泌される成分、及び、人体の高体温状態下の体臭を模倣したもので、誘引剤を人体の体温に近い温度に加熱すると共に、空気中に拡散して、蚊を蚊捕集装置の罠に吸引し、ファンの回転により、空気を流動させて生成される吸力渦流場により、罠に落ちた蚊を吸入すると共に、捕殺することができる。
【発明を実施するための最良の形態】
【００１３】
図１は、本発明の混合式蚊取り方法であって、主に、誘引剤１０、及び、蚊捕集装置２０からなり、蚊捕集装置は、主に、蚊取り、蚊捕集、及び、電気制御の三台部分に分けられる。
【００１４】
誘引剤は、主に、一種、或いは、多種の誘餌液原料を混成してなり、誘引剤は、人体の皮膚から排出される体臭、及び、成分を模倣し、乳酸（Lactic  Acid）、アミノ酸（Amino  Acid）、塩分（NaCl）、グリセリン（Glycerin）、アシルグリセロール（Acylglycerol）、トリアシルグリセロール（Triacylglycerol）、脂肪酸（Lipid
Acid）、ステアリン酸（Stearic Acid）、リポ蛋白（Lipoprotein）、コレステロール（Cholesterol）、コレステロールエステル、ステロイド（Steroid）、及び、ワックス（Wax）等を含み、成分を適当な比例で調合すると共に、蚊捕集装置を組み合わせ、上述の一種、或いは、多種の誘餌液を合成した誘引剤を加熱して気体にし、誘引剤を３８〜４２℃間に維持して、好ましい蚊捕捉効果を達成する。
【００１５】
蚊取り部分は、誘引容器３０を、本体２１に設置し、誘引容器下方に、加熱器３１を設置し、加熱器により、誘引容器内部の誘引剤液、或いは、誘引剤を加熱して気体にすると共に、温度センサー３２により、加熱温度を調整し、温度が蚊を引き付ける最適な温度になるよう維持する。蚊捕集部分は、僅かに角度を傾斜させる方式で、ファン４０に装着し、ファン下方に、捕集ネット４１を嵌合し、ファンを蚊捕集ネット開口に貼設し、ファンの回転で空気渦流が生じて、誘引された蚊が吸入され、吸入の過程で、蚊は、旋転するブレードにより捕殺される。蚊の死骸は、蚊捕集ネット内の装置に集められる。
【００１６】
本体下方は、電気制御部分であり、主に、電源制御回路板５０を蚊捕集装置制御核心とし、電力供給は、AC電源を採用し、変圧器５２により低圧DC電源に転換するか、ソーラーパネル５１を採用し、太陽エネルギーを電気エネルギーに転換してもよく、充電式電池５３を組み合わせて、電力を供給する。
【００１７】
図２は、本発明のフローチャートである。蚊捕集装置２０が起動して、加熱器３１が誘引容器３０に対し加熱を実行し、内部の誘引剤１０を気体にして、蚊捕集装置を中心に、四周に拡散する。温度センサー３２により、蚊を誘引するのに最適な温度に維持し、電源制御回路板５０により、ファン４０の起動を制御する。連続、或いは、断続の方法で、ファンの起動を制御し、ファンの起動で生成する空気渦流により、蚊を蚊捕集装置に吸引された蚊を、蚊捕集ネット４１中に吸入し、この過程で、ファン旋転によるブレードの攻撃を受けて、蚊はネット中で死ぬ。
【００１８】
蚊捕集装置内に設置された誘引容器３０は、容器内に、二つの放置槽を定義し（図３で示される）、それぞれ、水性、及び、油性の二種の誘引剤を放置し、水性、及び、油性は、それぞれ、単一の、或いは、多種の誘引剤を混合してなり、水性誘引剤と油性誘引剤を、乳化混合後、誘引容器に放置し、共に加熱して匂いを生成し、蚊を誘引して、ファンに接近させ、蚊捕集装置に吸進する。
【００１９】
誘引剤は、異なる蚊に対し、数種を調合し、例えば、一般の家蚊（Culex）に調合される誘引剤は、実験により、高い比率の油性誘引剤成分（約８０％）を好むことが分かっており、即ち、グリセリン（Glycerin）、アシルグリセロール（Acylglycerol）、トリアシルグリセロール（Triacylglycerol）、脂肪酸（Lipid
Acid）、ステアリン酸（Stearic Acid）、リポ蛋白（Lipoprotein）、コレステロール（Cholesterol）、コレステロールエステル、ステロイド（Steroid）、及び、ワックス（Wax）等の成分を混合した誘引剤で、これにより、誘引剤は、異なる蚊によって調合する。
【図面の簡単な説明】
【００２０】
【図１】本発明の方法を示す図である。
【図２】本発明の方法のシステム図である。
【図３】本発明の方法の素子立体図である。
【符号の説明】
【００２１】
１０      誘引剤
２０      蚊捕集装置
２１      本体
３０      誘引容器
３１      加熱器
３２      温度センサー
４０      ファン
４１      蚊捕集ネット
５０      電源制御回路板
５１      ソーラーパネル
５２      変圧器
５３      充電式電池
【図１】
2007215469.tif 000003
【図２】
2007215469.tif 000004
【図３】
2007215469.tif 000005